(57)【要約】【課題】電気機器の大型化を抑制しつつ低コストで良好な防滴機能を電気機器に付与する。【解決手段】遮水性及び可撓性を有するフィルム状の第１シートカバー６１及び第２シートカバー６２は、固定端６１ｂ，６２ｂが第１方向である上方に配置されるとともに自由端６１ｃ，６２ｃが第１方向に対して反対方向の第２方向である下方に配置されて電気接点を含むコネクタ７１を覆っている。第１シートカバー６１及び第２シートカバー６２を撓ませて第１シートカバー６１の自由端６１ｃ及び第２シートカバー６２の自由端６２ｃを第１方向に向って捲り上げられ、第１シートカバー６１の自由端６１ｃ及び第２シートカバー６２の自由端６２ｃを解放すると弾性力によって元に戻るように構成されている。【選択図】図１３
2019039645.tif 000002
【特許請求の範囲】
【請求項１】
水から保護すべき電気接点（６，７１）と、
固定端が第１方向に配置されるとともに自由端が前記第１方向に対して反対方向の第２方向に配置されて前記電気接点を覆い、遮水性及び可撓性を有するフィルム状の第１シートカバー（６１）と、
固定端が前記第１方向に配置されるとともに自由端が前記第２方向に配置されて前記第１シートカバーの上からさらに前記電気接点を覆い、遮水性及び可撓性を有するフィルム状の第２シートカバー（６２）と
を備え、
前記第１シートカバー及び前記第２シートカバーを撓ませて前記第１シートカバーの自由端及び前記第２シートカバーの自由端を前記第１方向に向って捲り上げることができ、前記第１シートカバーの自由端及び前記第２シートカバーの自由端を解放すると弾性力によって元に戻るように構成されている、電気機器。
【請求項２】
前記第１シートカバーの自由端が、前記第２シートカバーの自由端よりも前記第２方向において前記第１シートカバーの固定端から遠くにある、
請求項１に記載の電気機器。
【請求項３】
前記第１方向が上方であり、前記第２方向が下方であり、
前記第１シートカバーの自由端が前記第１シートカバーの下端であり、前記第２シートカバーの自由端が前記第２シートカバーの下端であり、前記第１シートカバーの下端が前記第２シートカバーの下端よりも下にある、
請求項２に記載の電気機器。
【請求項４】
前記第２シートカバーは、前記第１シートカバーよりも水平方向の長さが長い、
請求項３に記載の電気機器。
【請求項５】
前記第１シートカバー及び前記第２シートカバーは、いずれも透明のプラスチックフィルムからなる、
請求項１から４のいずれか一項に記載の電気機器。
【請求項６】
前記電気接点は、着脱自在の電気ユニット（５）に接続されるコネクタ付きワイヤハーネス（７０）のコネクタ（７１）に含まれる、
請求項５に記載の電気機器。
【請求項７】
前記電気ユニットは、放電によって活性種を発生させる放電ユニット（５）を含む、
請求項６に記載の電気機器。
【請求項８】
前記電気接点は、外部から吸い込まれて機器内部を通って外部に向って空気を吹き出すための気流の通路に配置され、
前記第１シートカバー及び前記第２シートカバーは、前記通路に通じる通気口に配置されている、
請求項１から７のいずれか一項に記載の電気機器。
【発明の詳細な説明】
【技術分野】
【０００１】
本発明は、  水から保護すべき電気接点を備える電気機器に関する。
【背景技術】
【０００２】
従来から、電気機器の電気接点に水が掛かるのを防止するため電気機器に防滴構造が設けられることがある。例えば、特許文献１（特開昭５９−５１４１６号公報）には、電気接点を含むスイッチの防滴構造としての防滴板が開示されている。
【発明の概要】
【発明が解決しようとする課題】
【０００３】
しかしながら、特許文献１に記載されているように、板状の防滴板を設ける場合には、防滴板を設けるためのスペースが必要になり、電気機器の大型化を招いてしまう。そこで、電気機器の小型化の要求が強い場合には電気機器の大型化を抑制できる防滴構造が必要になるが、このような防滴構造としては、例えば防滴板の固定端にヒンジを設けて防滴しなければならない時だけ防滴板で庇をつくる構造が考えられる。ところが、ヒンジなどの機構を防滴構造に組み込むと、防滴構造が高価なものとなる。
【０００４】
本発明の課題は、電気機器の大型化を抑制しつつ低コストで良好な防滴機能を電気機器に付与することである。
【課題を解決するための手段】
【０００５】
本発明の第１観点に係る電気機器は、水から保護すべき電気接点と、固定端が第１方向に配置されるとともに自由端が第１方向に対して反対方向の第２方向に配置されて電気接点を覆い、遮水性及び可撓性を有するフィルム状の第１シートカバーと、固定端が第１方向に配置されるとともに自由端が第２方向に配置されて第１シートカバーの上からさらに電気接点を覆い、遮水性及び可撓性を有するフィルム状の第２シートカバーとを備え、第１シートカバー及び第２シートカバーを撓ませて第１シートカバーの自由端及び第２シートカバーの自由端を第１方向に向って捲り上げることができ、第１シートカバーの自由端及び第２シートカバーの自由端を解放すると弾性力によって元に戻るように構成されている。
【０００６】
第１観点に係る電気機器によれば、第１シートカバー及び第２シートカバーは可撓性があることから、フィルム状の第１シートカバー及び第２シートカバーを極めて狭いスペースに収納できる。第１シートカバー及び第２シートカバーを撓ませて第１シートカバーの自由端及び第２シートカバーの自由端を第１方向に向って捲り上げることができ、第１シートカバーの自由端及び第２シートカバーの自由端を解放すると第１シートカバー及び第２シートカバーの弾性力によって元に戻るように構成されていることから、例えばヒンジなどの器具を用いなくても防滴構造を構成できる。また、第１シートカバーの上にさらに電気接点を覆う第２シートカバーが設けられていることから、例えば第１シートカバーを作業者が変形させて水を防ぎ切れない状態になっても第２シートカバーで防ぐことができる。
【０００７】
本発明の第２観点に係る電気機器は、第１観点に係る電気機器において、第１シートカバーの自由端が、第２シートカバーの自由端よりも第２方向において第１シートカバーの固定端から遠くにある、ものである。
【０００８】
第２観点に係る電気機器によれば、第１シートカバーの自由端が第２シートカバーの自由端よりも第２方向において遠くにあることから、もし第１シートカバーの自由端が引っ掛かっても第１シートカバーと同時に第２シートカバーの自由端が引っ掛かる可能性が小さくなる。
【０００９】
本発明の第３観点に係る電気機器は、第２観点に係る電気機器において、第１方向が上方であり、第２方向が下方であり、第１シートカバーの自由端が第１シートカバーの下端であり、第２シートカバーの自由端が第２シートカバーの下端であり、第１シートカバーの下端が第２シートカバーの下端よりも下にある、ものである。
【００１０】
第３観点に係る電気機器によれば、自由端である第１シートカバーの下端が第２シートカバーの下端よりも下にあることから、もし第１シートカバーの下端が引っ掛かっても第１シートカバーの下端と同時に第２シートカバーの下端が引っ掛かる可能性が小さくなるので、第１シートカバーの下端が引っ掛かっても第２シートカバーが庇のようになって上から降り掛かる水に対して良好な防滴機能を確保することができる。
【００１１】
本発明の第４観点に係る電気機器は、第３観点に係る電気機器において、第２シートカバーは、第１シートカバーよりも水平方向の長さが長い、ものである。
【００１２】
第４観点に係る電気機器によれば、第２シートカバーが第１シートカバーよりも水平方向の長さが長いことから、第１シートカバーが引っ掛かっても、第１シートカバーが凸状に撓んで第２シートカバーを持ち上げて第１シートカバーよりも水平方向に長い領域を第２シートカバーが覆うことができる。
【００１３】
本発明の第５観点に係る電気機器は、第１観点から第４観点のいずれかに係る電気機器において、第１シートカバー及び第２シートカバーは、いずれも透明のプラスチックフィルムからなる、ものである。
【００１４】
第５観点に係る電気機器によれば、第１シートカバー及び第２シートカバーがプラスチックフィルムからなることからコストを下げやすくなり、また、第１シートカバー及び第２シートカバーが透明のプラスチックフィルムからなることから第１シートカバー及び第２シートカバーを透して電気接点の周辺を確認できる。
【００１５】
本発明の第６観点に係る電気機器は、第５観点に係る電気機器において、電気接点は、着脱自在の電気ユニットに接続されるコネクタ付きワイヤハーネスのコネクタに含まれる、ものである。
【００１６】
第６観点に係る電気機器によれば、電気接点が着脱自在の電気ユニットに接続されるワイヤハーネスのコネクタに含まれることから、コネクタ付きワイヤハーネスが第１シートカバーに引っ掛かったとしても第２シートカバーがコネクタの上を覆うことができる。
【００１７】
本発明の第７観点に係る電気機器は、第６観点に係る電気機器において、電気ユニットは、放電によって活性種を発生させる放電ユニットを含む、ものである。
【００１８】
第７観点に係る電気機器によれば、電気接点が活性種を発生する放電ユニットに接続されることから、高い電圧が印加される電気接点に対して第１シートカバー及び第２シートカバーが防滴機能を発揮することになる。
【００１９】
本発明の第８観点に係る電気機器は、第１観点から第７観点のいずれかに係る電気機器において、電気接点は、外部から吸い込まれて機器内部を通って外部に向って空気を吹き出すための気流の通路に配置され、第１シートカバー及び第２シートカバーは、通路に通じる通気口に配置されている。
【００２０】
第８観点に係る電気機器によれば、気流の通路に電気接点が配置されていることから、通気口を通って通路に入り込む水を第１シートカバー及び第２シートカバーで防ぐことができる。
【発明の効果】
【００２１】
本発明の第１観点に係る電気機器では、電気機器の大型化を抑制しつつ低コストで良好な防滴機能を電気機器に付与することができる。
【００２２】
本発明の第２観点または第３観点に係る電気機器では、良好な防滴機能を確保し易くなる。
【００２３】
本発明の第４観点に係る電気機器では、上から降り掛かる水を防ぐ範囲を広げることができる。
【００２４】
本発明の第５観点に係る電気機器では、電気接点に係る作業の作業性が向上する。
【００２５】
本発明の第６観点に係る電気機器では、電気接点が第１シートカバーに引っ掛かり易いコネクタ付きワイヤハーネスに含まれる場合でも、良好な防滴機能を維持することができる。
【００２６】
本発明の第７観点に係る電気機器では、電気機器の安全性を向上させることができる。
【００２７】
本発明の第８観点に係る電気機器では、通気口を有する構造を持つ電気機器の小型化が容易になる。
【図面の簡単な説明】
【００２８】
【図１】実施形態に係る空気清浄機の外観を示す斜視図。
【図２】図１の空気清浄機の内部の構成を説明するための部分斜視図。
【図３】空気清浄機のストリーマ放電ユニットの交換の状況の一例を示す一部破断拡大斜視図。
【図４】内部吸込グリル及びストリーマ放電ユニット周辺の構成を説明するための分解斜視図。
【図５】ストリーマ放電ユニットを収納した内部吸込グリルを示す正面図。
【図６】前面パネル、第１シートカバー及び第２シートカバーを外した空気清浄機を示す部分拡大斜視図。
【図７】図６の状態から保護蓋を外した空気清浄機を示す部分拡大斜視図。
【図８】図７の状態からコネクタを引き抜いた空気清浄機を示す部分拡大斜視図。
【図９】図８の状態からストリーマ放電ユニットを外した空気清浄機を示す部分拡大斜視図。
【図１０】第１シートカバーが貼付された内部吸込グリルの部分拡大正面図。
【図１１】第２シートカバーが貼付された内部吸込グリルの部分拡大正面図。
【図１２】第２シートカバーの説明書きを説明するための第２シートカバーの平面図。
【図１３】コネクタ付きワイヤハーネスに第１シートカバーが引っ掛かった状態を示す部分拡大斜視図。
【図１４】コネクタ付きワイヤハーネスに第１シートカバーが引っ掛かった状態を示す模式図。
【発明を実施するための形態】
【００２９】
（１）全体構成
以下、本発明の実施形態に係る電気機器の一例として空気清浄機について図を用いて説明する。図１には、前方左斜めから見た空気清浄機１の外観が示されている。図２には、空気清浄機１の下部の内部構造が示されている。
【００３０】
空気清浄機１は、前面パネル１１、側面パネル１２、天面パネル１３及び外部吸込グリル１５を備えている。吸込口２１は、格子を並べて構成された外部吸込グリル１５によって通気可能に覆われている。また、吸込口２１には、比較的大きな塵埃を取り除くためのプレフィルタ２２が取り付けられている。プレフィルタ２２は、例えばポリプロピレン製の糸を張り巡らせたネットとネットを支持するフレームとを有している。矢印ＡＲ１の向きに、吸込口２１から空気清浄機１の中に室内空気が吸い込まれる。側面パネル１２には、外部吸込グリル１５、樹脂ケース組立体３１及び上部フレーム３２が嵌め込まれている。図示を省略しているが、空気清浄機１の天面には吹出口が設けられている。天面パネル１３には、格子を並べて構成された吹出グリル（図示せず）が取り付けられている。吹出口は、吹出グリルによって通気可能に覆われている。吹出口から吹き出される気流は、矢印ＡＲ２に示されているように、空気清浄機１の真上の方向に向って吹き出される。
【００３１】
また、空気清浄機１は、図２に示されているように、その内部に、ＨＥＰＡフィルタ２５と脱臭フィルタ２６とシロッコファン９０とを備えている。シロッコファン９０は、空気清浄機１の底部に設置されている。このシロッコファン９０によって矢印ＡＲ１，ＡＲ２で示された向きの気流が発生する。ＨＥＰＡフィルタ２５及び脱臭フィルタ２６は、シロッコファン９０の上方に設けられている。シロッコファン９０によって吸込口２１から吸い込まれ、プレフィルタ２２を通過して上方に吹き上げられる気流は、全てＨＥＰＡフィルタ２５及び脱臭フィルタ２６を順に通過する。これらＨＥＰＡフィルタ２５及び脱臭フィルタ２６を通過して清浄化された気流が空気清浄機１の上部の吹出口から吹き出される。
【００３２】
ＨＥＰＡフィルタ２５の上流には、ストリーマ放電ユニット５が設置されている。ストリーマ放電ユニット５は、ストリーマ放電を発生させることができ、ストリーマ放電によって活性種を生成することができる。ストリーマ放電ユニット５で生成された活性種は、ＨＥＰＡフィルタ２５に吸い込まれる空気に供給される。
【００３３】
ＨＥＰＡフィルタ２５は、プリーツフィルタであり、プレフィルタ２２で集塵できない非常に細かい塵埃を取り除くことができる。例えば、いわゆるＰＭ２．５のような微小粒子状物質を捕らえることができる。
【００３４】
脱臭フィルタ２６は、例えば活性炭などを含むように構成されており、ＨＥＰＡフィルタ２５を通過した空気中から例えば臭気成分、排ガス、及びホルムアルデヒドなどの室内空気汚染物質を吸着することができるように構成されている。脱臭フィルタ２６に吸着された例えば臭気成分、排気ガス及び室内空気汚染物質には、自然に分解され難いものがある。ストリーマ放電ユニット５から供給される活性種は、脱臭フィルタ２６に吸着された臭気成分などを分解する機能を有している。なお、脱臭フィルタ２６には、活性種による分解機能を高めるための触媒が担持されてもよい。このような触媒としては、例えば、マンガン系の触媒及び貴金属系の触媒がある。
【００３５】
脱臭フィルタ２６は、樹脂ケース組立体３１の中の枠体に支持されている。この樹脂ケース組立体３１を引き出すことにより、脱臭フィルタ２６を取り出して、脱臭フィルタ２６のメンテナンスができる。また、空気清浄機１は、樹脂ケース組立体３１を取り外すことにより、脱臭フィルタ２６の下に配置されているＨＥＰＡフィルタ２５を取り出すことができるように構成されている。
【００３６】
（２）詳細構成
（２−１）ストリーマ放電ユニット５
外部吸込グリル１５及びプレフィルタ２２を取り外し、さらに、保護蓋１７（図６参照）を取り外すと、図３に示されている略直方体状の形状を持つストリーマ放電ユニット５が露出する。図３に示されている手が捲り上げているのは、ストリーマ放電ユニット５の外側を覆う第１シートカバー６１及び第２シートカバー６２である。
【００３７】
ストリーマ放電ユニット５の周囲には、図４に示されているように、内部吸込グリル１６と、第１シートカバー６１と、第２シートカバー６２と、コネクタ付きワイヤハーネス７０が配置されている。ストリーマ放電ユニット５は、内部吸込グリル１６の上部に設けられているユニット収納部１８に取り付けられる。この内部吸込グリル１６は、空気清浄機１の本体１０に固定されている。
【００３８】
まず、ストリーマ放電ユニット５について説明するために、内部吸込グリル１６のユニット収納部１８にストリーマ放電ユニット５を取り付けて、コネクタ付きワイヤハーネス７０が接続された状態を図５に示し、外部吸込グリル１５及びプレフィルタ２２を取り外し、第１シートカバー６１及び第２シートカバー６２を取り除いた状態の空気清浄機１の本体１０を図６、図７、図８及び図９に示す。これら図５から図９に示されている状態は、説明のための状態であって、実際の製品としての空気清浄機１がこれらの状態を取ることはない。
【００３９】
図５に示されているように、内部吸込グリル１６に取り付けられた状態のストリーマ放電ユニット５には、内部吸込グリル１６に吸い込まれる気流の向きに、ワイヤハーネス７０のコネクタ７１が差し込まれる。ストリーマ放電ユニット５は、その内部で、プラズマ放電の一種であるストリーマ放電を発生させる放電装置である。このワイヤハーネス７０を通して、ストリーマ放電を発生させるための高電圧が供給される。ストリーマ放電ユニット５は、ストリーマ放電によって活性種（フリーラジカルまたは遊離基）を発生させて、活性種をＨＥＰＡフィルタ２５及び脱臭フィルタ２６の上流に供給する。
【００４０】
ストリーマ放電ユニット５には高電圧が印加されるため、安全性を高める目的で、図６に示されているように、ストリーマ放電ユニット５が外部に露出しないように保護蓋１７が取り付けられる。この保護蓋１７の外側には、さらにプレフィルタ２２及び外部吸込グリル１５が取り付けられ、空気清浄機１を運転している状態で、保護蓋１７が外れてストリーマ放電ユニット５が外部に露出することが防がれている。
【００４１】
ストリーマ放電ユニット５のユニット交換またはメンテナンスなどを行う際に、保護蓋１７を外すと、図７に示されているように、ワイヤハーネス７０が接続されたストリーマ放電ユニット５を露出させることができる。空気清浄機１は、安全性を確保するため、ストリーマ放電ユニット５が図７のように露出した状態では高電圧が供給されないように構成されている。このワイヤハーネス７０のコネクタ７１の中に、水から保護すべき電気接点がある。極めて稀なケースで発生することは無いとは思われるが、万が一、この状態で水が掛かって、電気接点が濡れた状態で運転が開始されると、電気の漏洩の可能性が考えられなくはない。
【００４２】
図７の状態からストリーマ放電ユニット５を取り外すときは、図８に示されているようにワイヤハーネス７０のコネクタ７１をストリーマ放電ユニット５から引き抜く。ストリーマ放電ユニット５には、ワイヤハーネス７０のコネクタ７１と対になっているコネクタピン６が設けられている。ワイヤハーネス７０は、内部吸込グリル１６の内部側に固定されている。従って、ユーザなどの作業者は、通常のユニット交換またはメンテナンスなどの作業では、ワイヤハーネス７０をストリーマ放電ユニット５と一緒に取り外すことはできない。ストリーマ放電ユニット５を取り外した状態は図９に示されている。ユニット収納部１８には、開口部１８ａが設けられている。この開口部１８ａは、吸込口２１からＨＥＰＡフィルタ２５に向う気流の通路に面している。ストリーマ放電ユニット５には、開口部１８ａに対応する部分に２つの通気口（図示せず）が設けられており、ストリーマ放電ユニット５は、内部で発生した活性種を通気口及び開口部１８ａを通してＨＥＰＡフィルタ２５の上流に放出することができる。
【００４３】
（２−２）第１シートカバー６１及び第２シートカバー６２
第１シートカバー６１及び第２シートカバー６２は、フィルム状であって、例えばプラスチックフィルムからなる。プラスチックフィルムとしては、例えばＰＥＴフィルム、ポリプロピレンフィルムまたはポリエチレンフィルムを用いることができる。第１シートカバー６１及び第２シートカバー６２を構成するプラスチックフィルムは、穴などは開いておらず、水を表から裏には通さない材質であって遮水性を備えている。プラスチックフィルムは、作業者が簡単に手で曲げることのできる可撓性を有している。第１シートカバー６１及び第２シートカバー６２は、手を離すと、プラスチックフィルムの弾性力によって元の状態に戻る。また、作業者が作業対象を視認するのを容易にするために、ここで第１シートカバー６１及び第２シートカバー６２に用いられているプラスチックフィルムは透明である。
【００４４】
第１シートカバー６１は、図１０に示されているように、内部吸込グリル１６の上端部１６ａに接着剤または粘着剤で貼り付けられる。内部吸込グリル１６の上端部１６ａは、ユニット収納部１８の上に位置している。第１シートカバー６１は、例えば、両面に接着剤または粘着剤を塗布したテープなどで貼り付けることができる。第１シートカバー６１の中で貼り付けられる貼付領域６１ａは、破線で区切られた領域のうちの上の部分である。この破線で示された貼付領域６１ａの境界線が固定端６１ｂである。
【００４５】
第１シートカバー６１においては、固定端６１ｂが上方に配置されるとともに自由端６１ｃが下方に配置されている。下方に配置されている自由端６１ｃは、言い換えると下端ということになる。この第１シートカバー６１は、空気清浄機１の外部から見ると図１０と図７及び図８とを比較すれば分かるが、電気接点を含むストリーマ放電ユニット５のコネクタピン６及びワイヤハーネス７０のコネクタ７１を覆っている。第１シートカバー６１の固定端６１ｂから自由端６１ｃまでの距離はＫ１である。また、第１シートカバー６１の水平方向の長さはＬ１である。
【００４６】
第２シートカバー６２は、図１１に示されているように、内部吸込グリル１６の上端部１６ａに接着剤または粘着剤で貼り付けられる。第２シートカバー６２は、第１シートカバー６１の上に重ねて貼り付けられる(図１４参照)。第２シートカバー６２も、例えば、両面に接着剤または粘着剤を塗布したテープなどで貼り付けることができる。内部吸込グリル１６が本体１０に固定された状態では、図１４に示されているように、内部吸込グリル１６と本体１０の間に、第１シートカバー６１及び第２シートカバー６２が挟まれる。このような構造を採ることで、第１シートカバー６１と第２シートカバー６２が剥がれ難くなっている。
【００４７】
第２シートカバー６２の中で貼り付けられる貼付領域６２ａは、破線で区切られた領域のうちの上の部分である。この破線で示された貼付領域６２ａの境界線が固定端６２ｂである。正面視（内部吸込グリル１６に空気が吸い込まれる方向に見る場合）において、この第２シートカバー６２の固定端６２ｂは、第１シートカバー６１の固定端６１ｂと重なる。つまり、図１０の二点鎖線と図１１の二点鎖線が重なる。
【００４８】
第２シートカバー６２においては、固定端６２ｂが上方に配置されるとともに自由端６２ｃが下方に配置されている。下方に配置されている自由端６２ｃは、言い換えると下端ということになる。この第２シートカバー６２は、空気清浄機１の外部から見ると、図１１と図７及び図８とを比較すれば分かるが、電気接点を含むストリーマ放電ユニット５のコネクタピン６及びワイヤハーネス７０のコネクタ７１を覆っている。
【００４９】
第２シートカバー６２の固定端６２ｂから自由端６２ｃまでの距離はＫ２である。第２シートカバー６２の固定端６２ｂと自由端６２ｃの間の距離Ｋ２は、第１シートカバー６１の固定端６１ｂと自由端６１ｃの間の距離Ｋ１よりも短い。ここでは、上方（第１方向）にある第１シートカバー６１の固定端６１ｂと第２シートカバー６２の固定端６２ｂが同じ位置にあるから、第１シートカバー６１の自由端６１ｃが、第２シートカバー６２の自由端６２ｃよりも下方（第２方向）において第１シートカバー６１の固定端６１ｂから遠くにある。見方を変えると、第１シートカバー６１の下端（自由端６１ｃ）が、第２シートカバー６２の下端(自由端６２ｃ)よりも下にある。
【００５０】
また、第２シートカバー６２の水平方向の長さはＬ２である。水平方向において、第２シートカバー６２の長さＬ２は、第１シートカバー６１の長さＬ１よりも長い。第１シートカバー６１では、ストリーマ放電ユニット５の全体を覆うことはできないが、第２シートカバー６２は、ストリーマ放電ユニット５の全体も覆うことができる。第２シートカバー６２の長さＬ２が長いことによって、第１シートカバー６１だけの場合よりも防滴範囲を広げることができる。
【００５１】
第２シートカバー６２には、図１２に示されているように、電気接点を有する部材（ここでは、ストリーマ放電ユニット５及びコネクタ付きワイヤハーネス７０）に関する取り扱い説明が印刷されている。ユーザなどの作業者は、第２シートカバー６２に印刷された説明書きで作業方法を確認しながら、ストリーマ放電ユニット５及びコネクタ付きワイヤハーネス７０などの電気接点を有する部材を取り扱うことができる。
【００５２】
（２−３）カバー引っ掛かり状況
図１３及び図１４を用いて、第１シートカバー６１及び第２シートカバー６２に、ワイヤハーネス７０のコネクタ７１が引っ掛かる状況の一例について説明する。図１３及び図１４に示されている状況においては、第１シートカバー６１の下端である自由端６１ｃが、ワイヤハーネス７０のコネクタ７１に引っ掛かっている。そして、コネクタ７１に引っ掛かることによって第１シートカバー６１が湾曲している。しかしながら、この湾曲した第１シートカバー６１によって第２シートカバー６２が持ち上げられるので、第１シートカバー６１の自由端６１ｃよりも固定端６１ｂ，６２ｂから近くに（上方に）ある第２シートカバー６２の自由端６２ｃがコネクタ７１に引っ掛かることが防がれている。そして、第２シートカバー６２が庇になって、コネクタ７１に水滴が掛かることが防止される。ここでは、コネクタ７１に第１シートカバー６１が引っ掛かるケースを想定したが、例えば内部吸込グリル１６に突起があって第１シートカバー６１が内部吸込グリル１６に引っ掛かる場合にも同様の状況になる場合も考えられ、そのような場合でも第1シートカバー６１によって第２シートカバー６２が内部吸込グリル１６に引っ掛かることを防止することができる。
【００５３】
（３）変形例
（３−１）変形例１Ａ
上記実施形態では、電気機器の例として空気清浄機１を例に挙げて説明したが、本発明は空調機器に適しており、空気清浄機以外の空気調和機などの他の空調機器にも本発明を適用することができる。
【００５４】
（３−２）変形例１Ｂ
第１シートカバー６１は、第２シートカバー６２に向って凸状に撓み易くなるように癖付されていてもよい。第２シートカバー６２に向って凸状に第１シートカバー６１が撓み易くなるように癖付けとしては、例えば第２シートカバー６２に向って凸状に第１シートカバー６１を湾曲させる成形を行うことができる。このような癖付けがされていると、第１シートカバー６１が凸状に撓んで第２シートカバー６２を持ち上げる可能性を高くすることができる。
【００５５】
（４）特徴
（４−１）
実施形態で説明したように、プラスチックフィルムからなる第１シートカバー６１及び第２シートカバー６２は可撓性及び遮水性があることから、フィルム状のこれら第１シートカバー６１及び第２シートカバー６２は、極めて狭いスペースに収納することができる。空気清浄機１においては、外部吸込グリル１５と内部吸込グリル１６の隙間に第１シートカバー６１及び第２シートカバー６２が収納されている。その結果、電気機器である空気清浄機１の大型化が抑制される。
【００５６】
図３に示されているように、例えば手で第１シートカバー６１及び第２シートカバー６２を撓ませて第１シートカバー６１の自由端６１ｃ及び第２シートカバー６２の自由端６２ｃを上方（第１方向の例）に向って捲り上げることができる。そして、図３に示された状態から手を離して第１シートカバー６１の自由端６１ｃ及び第２シートカバー６２の自由端６２ｃを解放すると、プラスチックフィルムからなる第１シートカバー６１及び第２シートカバー６２は、自身の有する弾性力によって元に戻る。従って、例えばヒンジなどの器具を用いなくても、２枚のプラスチックフィルムを貼り付けるという簡単な構成で防滴構造の構成が行え、低コストで防滴機能を空気清浄機１に付与することができる。
【００５７】
さらに、第１シートカバーの上にさらに電気接点を覆う第２シートカバーが設けられていることから、例えば第１シートカバーを作業者が変形させて水を防ぎ切れない状態になっても第２シートカバーで防ぐことができる。その結果、空気清浄機１は、高電圧を扱うストリーマ放電ユニット５の周辺に良好な防滴機能を備えることができている。
【００５８】
（４−２）
上記実施形態では、第１シートカバー６１の自由端６１ｃが第２シートカバー６２の自由端６２ｃよりも第２方向である下方において遠くにあることから、図１３及び図１４を用いて説明したような場合には、第１シートカバー６１の自由端６１ｃが引っ掛かっても第１シートカバー６１と同時に第２シートカバー６２の自由端６２ｃが引っ掛かることはない。その結果、空気清浄機１は、良好な防滴機能を確保することができる。
【００５９】
第１方向が上方、第２方向が下方の場合が図１３及び図１４に示されているが、本発明を適用できる第１方向及び第２方向は上記実施形態の方向に限られるものではなく、例えば第１方向が右方向に設定されるとともに第２方向が左方向に設定されてもよい。
【００６０】
（４−３）
第１シートカバー６１の下端である自由端６１ｃが第２シートカバー６２の下端である自由端６２ｃよりも下にあることから、上記（４−２）でも説明したように第１シートカバー６１の自由端６１ｃが引っ掛かっても第２シートカバー６２の自由端６２ｃが同時に引っ掛かることが防がれ、引っ掛かった第１シートカバー６１に持ち上げられる第２シートカバー６２が庇のようになって上から降り掛かる水に対して良好な防滴機能を確保する。
【００６１】
（４−４）
図１０及び図１１に示されているように、第２シートカバー６２の水平方向の長さＬ２が第１シートカバー６１の水平方向の長さＬ１よりも長いことから、第１シートカバー６１が引っ掛かっても、第１シートカバー６１よりも水平方向に長い領域を第２シートカバー６２で覆うことができる。その結果、水平方向において、上から降り掛かる水を防ぐ範囲を広げることができる。
【００６２】
（４−５）
上記実施形態の第１シートカバー６１及び第２シートカバー６２がプラスチックフィルムからなることからコストを下げやすくなり、また、第１シートカバー６１及び第２シートカバー６２が透明のプラスチックフィルムからなることから、第１シートカバー６１及び第２シートカバー６２を透して電気接点を含むストリーマ放電ユニット５のコネクタピン６及びワイヤハーネス７０のコネクタ７１の周辺を視認できる。その結果、電気接点に係る作業、例えばストリーマ放電ユニット５の交換作業などの作業性が向上する。
【００６３】
（４−６）
上記実施形態では、着脱自在の電気ユニットであるストリーマ放電ユニット５に接続されるコネクタ付きワイヤハーネス７０に電気接点が含まれることから、コネクタ付きワイヤハーネス７０が第１シートカバー６１に引っ掛かったとしても第２シートカバー６２がコネクタ７１の上を覆うことができている。このように、電気接点が第１シートカバー６１に引っ掛かり易いコネクタ付きワイヤハーネス７０に含まれる場合でも、良好な防滴機能を維持することができる。
【００６４】
（４−７）
電気接点が活性種を発生するストリーマ放電ユニット５に接続されることから、高い電圧が印加される電気接点に対して第１シートカバー６１及び第２シートカバー６２が防滴機能を発揮することになる。その結果、空気清浄機１の安全性を向上させることができる。
【００６５】
（４−８）
気流の通路に電気接点が配置されていることから、通気口である吸込口２１を通って通路に入り込む水を第１シートカバー６１及び第２シートカバー６２で防ぐことができる。その結果、防滴機能が必要で且つこのような吸込口２１を有する空気清浄機１の小型化が容易に実現される。
【符号の説明】
【００６６】
１  空気清浄機
５  ストリーマ放電ユニット（電気ユニットの例）
６  コネクタピン
１５  外部吸込グリル
１６  内部吸込グリル
１８  ユニット収納部
２１  吸込口
６１  第１シートカバー
６２  第２シートカバー
７０  コネクタ付きワイヤハーネス
７１  コネクタ
【先行技術文献】
【特許文献】
【００６７】
【特許文献１】特開昭５９−５１４１６号公報
【図１】
2019039645.tif 000003
【図２】
2019039645.tif 000004
【図３】
2019039645.tif 000005
【図４】
2019039645.tif 000006
【図５】
2019039645.tif 000007
【図６】
2019039645.tif 000008
【図７】
2019039645.tif 000009
【図８】
2019039645.tif 000010
【図９】
2019039645.tif 000011
【図１０】
2019039645.tif 000012
【図１１】
2019039645.tif 000013
【図１２】
2019039645.tif 000014
【図１３】
2019039645.tif 000015
【図１４】
2019039645.tif 000016